(57)【特許請求の範囲】
【請求項１】
鍋等を乗せるトッププレートと、吸気口と、排気口と、少なくとも１つの突起とを備え、前記吸気口を本体底面に設け、前期本体底面の吸気口にゴミ等の異物が侵入するのを防止するために設けられたフィルターとを備え、前記排気口と前記底面に設置されたフィルターを着脱あるいは掃除する場合に本体の前面を持ち上げ本体後面を下にして立てても前期突起が床面と本体後面間にスペースを作るため電源コードを本体に挟み込むことを防止できる突起を本体後面に設けてなる電気調理器。
【請求項２】
突起は本体後面の下方に設けてなる請求項１記載の電気調理器。
【請求項３】
突起は弾性体で形成されてなる請求項１または２記載の電気調理器。
【請求項４】
突起は板状で少なくとも下方を円弧状に形成してなる請求項１〜３のいずれか１項に記載の電気調理器。
【発明の詳細な説明】
【０００１】
【産業上の利用分野】
本発明は、一般家庭の台所や業務用に使用する電気レンジや、電気コンロに関するものである。
【０００２】
【従来の技術】
近年、一般家庭では、安全、清潔といった観点から電気式が増えつつある。中でも、上面がフラットなセラミック製のトッププレートを有するタイプで、熱源にハロゲンヒータ方式や、電磁誘導加熱方式を用いた製品が多く販売されてきている。
【０００３】
【発明が解決しようとする課題】
しかし、上記構成の電気調理器では、次にような問題があった。すなわち、電磁誘導加熱方式は、加熱コイルや内蔵している電子部品を冷却するため、ファンによる強制空冷のための有効な吸気及び排気が必要であった。しかし、本体の設置方法によっては壁側に排気口が塞がれて、冷却出来ずに機能停止しやすいという問題があった。また、吸気口は底面に設けられ、固定式や着脱式のフィルターを有するが、フィルターのメンテナンス時には本体を裏返すか、片面を持ち上げるか等する必要があり、本体が大きく重い場合等に電源コードを本体に挟み込んだりしやすいといった問題があった。
【０００４】
そこで、本発明は上記従来の問題点を解消し、本体の設置方法によらずに効果的に排気口を確保するとともに、フィルターのメンテナンス時の電源コードの挟み込み等を有効に防止することを第１の目的とする。
【０００５】
また、本発明の第２の目的は、特にフィルターのメンテナンス時の作業性の向上、及び、見栄えの向上である。
【０００６】
また、本発明の第３の目的は、特に本体設置時やフィルターのメンテナンス時に、壁や床面を傷つけないことである。
【０００７】
さらに、フィルターのメンテナンス時の作業性の更なる向上を第４の目的としている。
【０００８】
【課題を解決するための手段】
上記第１の目的を達成するために、本発明は鍋等を乗せるトッププレートと、本体底面の吸気口と、前期本体底面の吸気口にゴミ等の異物が侵入するのを防止するために設けられたフィルターとを備え、本体後面の排気口並びに前記底面に設置されたフィルターを着脱あるいは掃除する場合に本体の前面を持ち上げ本体後面を下にして立てても前期突起が床面と本体後面間にスペースを作るため電源コードを本体に挟み込むことを防止できる少なくとも１つの突起を備えたものである。
【０００９】
また、上記第２の目的を達成するために、本発明の突起は、特に本体後面の下方に位置してなるものである。
【００１０】
また、上記第３の目的を達成するために、本発明の突起は、特に弾性体で形成されてなるものである。
【００１１】
さらに、突起を少なくとも下方を円弧状にした板状で構成して第４の目的を達成せんとしている。
【００１２】
【作用】
本発明は上記構成により、本体が壁側に設置された場合に、本体後面に設置した複数の突起により壁から一定の距離を確保できるため、無意識に本体を設置しても排気口が塞がれることがない。また、底面に設置されたフィルターを着脱あるいは掃除する場合に、本体の前面を持ち上げ本体後面を下にして立てても、複数の突起が床面と本体後面間にスペースを作るため、電源コードを本体に挟み込むことを防止できる。
【００１３】
また、突起を本体後面の下方に位置させることにより、特に、本体の使用時に本体の前に立っても、突起が見えにくく違和感が少なく感じられるだけでなく、前面を持ち上げる場合には、低い角度から突起が床面に接触するため本体後面が真下になる前に本体と床面間の電源コードの挟み込みを有効に防ぐためのスペースを確保することができる。
【００１４】
また、突起を弾性体で形成することにより、特に本体の設置にあたり、壁や床を傷つけにくくすることができる。
【００１５】
また、突起の下方を円弧状の板状とすることにより、前面を持ち上げる際も、スムーズに持ち上げやすく、また、強度も確保できるため薄い板状にして見栄えを良くすることができる。
【００１６】
【実施例】
以下、本発明の実施例について、図１〜図６を参照して説明する。
【００１７】
図において、１１は加熱する鍋等を乗せる結晶化ガラス製のトッププレート、１２は加熱コイルからなる加熱源が位置する加熱面であり、両側に２個配置している。１３は本体後面１４に設けた電源コード、１５は同じく本体後面１４に設置された加熱源や制御基板の冷却のための排気口である。１６は本体底面１７に設けられた冷却のための吸気口１８に、ゴミ等の異物が侵入するのを防止するために設けられたフィルターであり、板金製のパンチングメタルやラス網等で構成されている。また、吸気口１８の真上にはファン及びモータ（図示せず）が内蔵されている。２０は本体後面１４に設置した一対の突起であり、図４に示されるように円筒型でビスで固着されている。
【００１８】
以上のように構成された電気調理器について、その動作を説明する。本体後面１４が壁側に設置されても、本体後面１４に設置した複数の突起２０により、壁から本体後面１４まで一定の距離を確保できる。また、本体底面１７に設置されたフィルター１６を着脱あるいは掃除をする場合に、図３のように、本体の前面を持ち上げ本体後面１４を下にして立てても、複数の突起２０が床面に接触し、電源コード１３を挟み込まないためのスペースを確保することができる。
【００１９】
また、図１に示すように突起２０を本体後面１４の下方に設置しているため、本体の使用時に本体の前に立っても、突起２０が見えにくく違和感が少なく感じられるだけでなく、本体を持ち上げる場合には低い角度から突起２０が床面に接触するため本体後面１４が真下になる前に床面間のスペースが容易に確保できるものである。
【００２０】
なお、突起２０を樹脂で形成すれば、突起２０と本体底面１７に設けた脚２１とを一体に樹脂成型することが可能であり、部品点数も減り組立性を向上することができるとともに、突起２０を弾性体であるゴム等で形成すれば突起２０が接触する壁や床面の傷つきを効果的に防止することができる。
【００２１】
さらに、図５に示すように、突起２０の下方を円弧状の板状で構成することにより、前面を持ち上げる際もスムーズに持ち上げやすく、また、強度も確保しやすいために薄い板状で形成可能であり見栄えを良くすることができる。
【００２２】
【発明の効果】
以上のように本発明は、本体底面の吸気口と、本体後面の排気口並びに底面に設置されたフィルターを着脱あるいは掃除する場合に本体の前面を持ち上げ本体後面を下にして立てても前期突起が床面と本体後面間にスペースを作るため電源コードを本体に挟み込むことを防止できる少なくとも１つの突起を備えたことにより、本体が壁側に設置された場合に、本体後面に設置した突起により、壁から一定の距離を確保できるため、無意識に本体を設置しても排気口が塞がれることがない。また、底面に設置されたフィルターを着脱あるいは掃除する場合に、本体の前面を持ち上げ後面を下にして立てても、突起が床面と本体後面間に有効にスペースを作るため、電源コードを本体に挟み込むことを防止できる。
【００２３】
また、突起を本体後面の下方に位置させることにより、特に、本体の使用時に本体の前に立っても、突起部が見えにくく違和感が少なく感じられるだけでなく、前面を持ち上げる場合には、低い角度から突起が床面に接触するため本体後面が真下になる前に本体と床面間の電源コードの挟み込みを有効に防ぐことができる。
【００２４】
また、突起を弾性体で形成することにより、特に本体の設置にあたり、壁や床を傷つけにくくすることができる。
【００２５】
また、突起の下方を円弧状の板状とすることにより、前面を持ち上げる際も、スムーズに持ち上げやすく、また、強度も確保できるため薄い板状にでき見栄えを良くすることができる。
【図面の簡単な説明】
【図１】本発明の実施例の電気調理器の斜視図
【図２】同、電気調理器の側面図
【図３】同、電気調理器の一使用状態における側面図
【図４】同、電気調理器の突起の縦横断面図
【図５】同、電気調理器の別な突起を用いた場合の斜視図
【図６】同、電気調理器の別な突起を用いた場合の一使用状態における側面図
【符号の説明】
１２  加熱面
１４  本体後面
１５  排気口
１７  本体底面
１８  吸気口
２０  突起
【図１】
0003562039.tif 000002
【図２】
0003562039.tif 000003
【図３】
0003562039.tif 000004
【図４】
0003562039.tif 000005
【図５】
0003562039.tif 000006
【図６】
0003562039.tif 000007